(57)【要約】【課題】原稿サイズを検出する際に照射される光の眩しさによる不快感を抑えることができると共に、光量の調整を煩雑にすることなく、また、構造を複雑にすることなく、原稿サイズを正確に検出することができる画像読取装置を提供する。【解決手段】この画像読取装置４００は、圧板４０２を閉じるタイミングで、原稿照射ユニット１０２を複数回点灯動作させる。そして、ＣＣＤ４０９が、複数回の点灯のうちの一部の点灯による原稿からの反射光を読み取り、該ＣＣＤ４０９による読取情報に基づいて原稿のサイズを検出する。【選択図】図１０
2008048024.tif 000002
【特許請求の範囲】
【請求項１】
原稿が載置される原稿台と、該原稿台に開閉可能に支持され、閉じ時に前記原稿台に載置された前記原稿を押圧する圧板と、該圧板を閉じるタイミングで、点灯により前記原稿を照射する原稿照射手段と、前記原稿からの反射光を読み取る原稿読取手段と、を備え、該原稿読取手段による読取情報に基づいて前記原稿のサイズを検出する画像読取装置であって、
前記原稿照射手段は、前記圧板を閉じるタイミングで、前記原稿照射手段を複数回点灯動作させ、前記原稿読取手段は、前記複数回の点灯のうちの一部の点灯による前記原稿からの反射光を読み取ること、
を特徴とする画像読取装置。
【請求項２】
前記原稿照射手段は、前記複数回の点灯を、前記圧板の閉じ始めと、該圧板を完全閉じてからの２回動作させる、
ことを特徴とする請求項１に記載の画像読取装置。
【請求項３】
前記原稿照射手段は、コヒーレント光発光手段から導光手段を介して導光されたコヒーレント光を可視光に変換する蛍光手段を備える、
ことを特徴とする請求項１又は２に記載の画像読取装置。
【発明の詳細な説明】
【技術分野】
【０００１】
本発明は、原稿サイズを検出する際に原稿に光を照射する原稿照射手段を備えた画像読取装置に関する。
【背景技術】
【０００２】
従来、画像読取装置において、原稿サイズを検出する際に照射される光の眩しさによる不快感を抑えるため、原稿サイズ検出時には原稿照射ユニットの発光量を落とすものが提案されている（例えば、特許文献１，２参照）。また、原稿サイズ検出時のみに原稿照射ユニットを発光させるものや（例えば、特許文献３，４参照）、原稿照射ユニットの発光色を白以外とするものも提案されている（例えば、特許文献５参照）。
【特許文献１】特開平１１−２４１８９号公報
【特許文献２】特開２００２−２９０６７５号公報
【特許文献３】特開２００４−９６１５７号公報
【特許文献４】特開２００４−３２０７５号公報
【特許文献５】特開２００５−０５１４４３号公報
【発明の開示】
【発明が解決しようとする課題】
【０００３】
上記特許文献１，２では、原稿照射ユニットの発光量を多段に制御しなければならないので、光量調整やシェーディング調整を各段で行わなければならず、調整シーケンスの増大を招き、初期生産性（ＦＣＯＴ等）に悪影響を及ぼす。
【０００４】
上記特許文献３，４では、原稿照射ユニットの発光は、本来は圧板を閉じかけるときに１回、完全に閉じたときに１回と合計２回行うべきところを、圧板を閉じかけるときに１回のみ発光させているので、原稿サイズの検出精度が低下する。つまり、黒原稿は反射率が原理的に極端に低いので、圧板の閉じかけのときは原稿がないのか、黒原稿なのかの識別ができないため、原稿サイズを検出することができない。このことが圧板を完全に閉じたときにも原稿照射ユニットを発光させる理由となっているが、上記特許文献３，４では、それを省略しているので、原稿サイズの検出精度が低下する。
【０００５】
上記特許文献５では、白色発光部の他に非白色発光部も必要なため、発光部を２個所設けることになり、構造が複雑になるとともに、コスト高になる。
【０００６】
そこで、本発明は、原稿サイズを検出する際に照射される光の眩しさによる不快感を抑えることができると共に、光量の調整を煩雑にすることなく、また、構造を複雑にすることなく、原稿サイズを正確に検出することができる画像読取装置を提供することを目的とする。
【課題を解決するための手段】
【０００７】
上記目的を達成するために、請求項１に記載の画像読取装置は、原稿が載置される原稿台と、該原稿台に開閉可能に支持され、閉じ時に前記原稿台に載置された前記原稿を押圧する圧板と、該圧板を閉じるタイミングで、点灯により前記原稿を照射する原稿照射手段と、前記原稿からの反射光を読み取る原稿読取手段と、を備え、該原稿読取手段による読取情報に基づいて前記原稿のサイズを検出する画像読取装置であって、前記原稿照射手段は、前記圧板を閉じるタイミングで、前記原稿照射手段を複数回点灯動作させ、前記原稿読取手段は、前記複数回の点灯のうちの一部の点灯による前記原稿からの反射光を読み取ることを特徴とする。
【発明の効果】
【０００８】
本発明によれば、原稿照射手段の発光量が一定のままでごく短時間に点滅する残像効果によって、人の目にまぶしさを感じさせないようにしながら原稿のサイズを検出することができる。これにより、原稿照射手段の光量の調整を煩雑にすることなく、また、構造を複雑にすることなく、原稿サイズを正確に検出することができる。
【発明を実施するための最良の形態】
【０００９】
以下、本発明の実施の形態の一例を図を参照して説明する。
【００１０】
図１は本発明の実施の形態の一例である画像読取装置の外観斜視図、図２は本発明の実施の形態の一例である画像読取装置の内部構造を説明するための説明図である。図３は光学ユニットを説明するための説明図、図４は原稿照射ユニットを説明するための説明図である。
【００１１】
図１に示すように、本発明の実施の形態の一例である画像読取装置４００は、原稿台４００ａの上面に配置されて、原稿Ｇが載置される原稿台ガラス４０１と、原稿台４００ａに開閉自在に支持されて、閉時に原稿台ガラス４０１を押圧する圧板４０２とを備える。
【００１２】
原稿台４００ａの圧板４０２の開閉支持部近傍には、圧板４０２が閉じられるときに押し込まれる圧板検出レバー１０６が設けられている。圧板検出レバー１０６が押し込まれることで、圧板センサ６１３（図５参照）によって圧板４０２の閉じ状態が検出される。
【００１３】
ここで、この実施の形態では、圧板４０２の閉じ始めと、圧板４０２を完全閉じてからの２回、原稿検出サイクルを動作させる。
【００１４】
具体的には、圧板センサ６１３が圧板４０２の閉じ始めのみを検出する場合は、圧板４０２を完全に閉じたことの検出は、閉じ始めを検出してから所定の時間（３秒程度）が経過したときに行う。また、圧板センサ６１３が、圧板４０２の閉じ始めと、完全に閉じた状態との２段階の変位を検出するセンサである場合、圧板４０２の閉じ始めと完全に閉じたときの検出タイミングで原稿検出サイクルを動作させる。
【００１５】
また、原稿台４００ａ内には、図２に示すように、第１キャリッジ４０４、第２キャリッジ４０７、レンズ４０８、ＣＣＤ（原稿読取手段）４０９及び発光部ユニット１０１が配置されている。
【００１６】
第１キャリッジ４０４には、原稿照射ユニット（原稿照射手段）１０２および第１ミラー４０３が配置され、第２キャリッジ４０７には、第２ミラー４０５および第３ミラー４０６が配置されている。原稿台ガラス４０１上に載置された原稿Ｇを読み取るときには、光路長が変わらないように、第１キャリッジ４０４と第２キャリッジ４０７とが所定の相対速度でスキャナ駆動モータ（図示せず）にて駆動されて機械的に走査される。
【００１７】
原稿Ｇの読み取りは、まず、レーザーモジュール１（図５参照）内のレーザー光源を駆動し、発光部ユニット１０１より導かれたレーザー光を原稿照射ユニット１０２により線光源として、原稿Ｇを照射する。反射光Ｋは、第１ミラー４０３、第２ミラー４０５、第３ミラー４０６を介してＣＣＤ４０９に入射して、電気信号（アナログ信号）に変換される。
【００１８】
なお、図１において、符号１０７は、第２ミラー４０５および第３ミラー４０６で反射した反射光ＫをＣＣＤ４０９に導くための開口部、符号２１０２，２１０３は、反射型の副走査センサ（原稿サイズ検出センサ）６１４，６１５（図５参照）の検出窓である。
【００１９】
発光部ユニット１０１は、図３に示すように、レーザーモジュール（コヒーレント光発光手段）１、レーザーモジュール１を保持する金属製ホルダ２、およびレーザーモジュール１より出力されるレーザー光を原稿照射ユニット１０２へ導く光ファイバーコード（導光手段）３を備える。
【００２０】
光ファイバーコード３は、原稿照射ユニット１０２が搭載された第１キャリッジ４０４が高速で往復運動を行う使用状況にかんがみ、ＰＯＦ（プラスチック製光ファイバ）に代表される柔軟性の高い光ファイバを用いている。これにより、光ファイバーコード３の耐久性が保持されるとともに、発光部ユニット１０１から発せられるレーザー光が安定して原稿照射ユニット１０２に実装される蛍光発光部５に照射される。
【００２１】
また、発光部ユニット１０１は、公知のレーザー光源によって構成されているため、放熱処理の必要がある。そのため、発光部ユニット１０１を原稿台４００の側板の内面に接するように装着することで、ほぼ室温を保つことができ、安定した光量を得ることができる。
【００２２】
原稿照射ユニット１０２は、図３に示すように、発光部ユニット１０１と共に光学系ユニット１００を構成しており、ホルダ４、蛍光体発光部５、放熱部材６、光リフレクタ７、線光源へと変換する導光体８、および原稿Ｇの反射光が導かれる反射光路９を備える。
【００２３】
蛍光体発光部５で発光したレーザー光は、図４に示すように、導光体８の内部に設けられた拡散面１０で反射して、原稿台ガラス４０１に載置された原稿Ｇに向けて出射される。拡散面１０は、導光体８の長手方向に連続的に形成された細かなテーパ面を有しており、テーパ面への入射角θがα以上（導光体がアクリル樹脂で、屈折率ｎ＝１．５）で入射した光は、全反射角条件を満足し、所望の方向に光が出射される。また、テーパ面のピッチは１（ｍｍ）以下と非常に細かいため、原稿Ｇの短い範囲内では均一な照度分布が得られる。
【００２４】
次に、図５を参照して、本発明の実施の形態の一例である画像読取装置の制御系について説明する。
【００２５】
画像読取装置４００の制御系は、図５に示すように、中央演算処理装置であるＣＰＵ５０１、ＲＯＭ（リードオンリーメモリ）５０２、およびＲＡＭ（ランダムアクセスメモリ）５０３を備える。
【００２６】
ＲＯＭ５０２には、制御用プログラムが格納されており、ＲＡＭ５０３には、入力データや作業用データが格納されている。ＣＰＵ５０１は、コントローラ５２０からの指示に従い、バス接続されたＲＯＭ５０２に格納された制御プログラムにしたがい、レーザー制御部５０６、モータードライバ５０４、画像処理部５０８を制御する。レーザー制御部５０６は、原稿照射のためのレーザーモジュール１の駆動を制御し、モータードライバ５０４は、第１キャリッジ４０４、第２キャリッジ４０７を駆動するためのモータ（図示しない）を制御する。
【００２７】
また、画像読取装置４００の制御系は、センサ入力部５０５および入射した反射光を画像信号に変換するＣＣＤ４０９を備える。センサ入力部５０５には、圧板４０２の開閉を検知する圧板センサ６１３、副走査センサ６１４，６１５、その他キャリッジの位置検出用等の各種センサ（図示しない）の検出信号が入力される。ＣＣＤ４０９から出力される画像信号はアナログ信号処理部５０７でＡ／Ｄ変換されて増幅され、デジタル信号に変換された画像信号は画像処理部５０８でシェーディング補正を施される。シェーディング補正された画像信号は、外部Ｉ／Ｆ５０９を介してコントローラ５２０に転送される。外部Ｉ／Ｆ５０９は、コントローラ５２０と画像読取装置４００との間でコマンドやデータの送受信を行う。
【００２８】
そして、圧板４０２が開けられた状態で、原稿台ガラス４０１に原稿Ｇが置載され、圧板４０２が閉じられると、センサ入力部５０５に接続された圧板センサ６１３の検出内容に従い、原稿サイズ検出動作を開始する。
【００２９】
原稿サイズ検出動作は、詳細は後述するが、まず、ＣＣＤ４０９が駆動され、次に、所定のタイミングで、レーザー制御部５０６に点灯制御信号が入力され、レーザーモジュール１が駆動して、蛍光体発光部５が点灯し、導光体８全体が発光する。そして、画像処理部５０８に具備されるラインメモリ（不図示）に供給された値を基にｎ画素平均回路（不図示）によって算出された値と、副走査センサ６１４，６１５から得られた値とを基に、ＲＡＭ５０３及びＲＯＭ５０２の内容を参照して、原稿サイズを検出する。
【００３０】
なお、図５に示すように、画像読取装置４００が、コントローラ５２０および記録部５３０に接続される場合には、画像読取装置４００で読み取った画像データは、コントローラ５２０で画像処理が施され、記録部５３０にて記録出力するコピー装置となる。また、画像読取装置４００から、コントローラ５２０、公衆回線を経由し、相手側通信装置であるＦＡＸ装置５４０との間でのデータや画像情報等の通信を行うこともできる。更に、画像読取装置４００から、コントローラ５２０、インターネットを経由して、指定先のコンピュータ５５０へ画像データを送信することもできる。
【００３１】
次に、図６〜８を参照して、本発明の実施の形態の一例である画像読取装置の画像読取動作を説明する。
【００３２】
図６は画像読取処理のメインルーチンを説明するためのフローチャート図、図７は図６の光量調整初期化処理を説明するためのフローチャート図、図８は図６の圧板読取処理を説明するためのフローチャート図である。
【００３３】
まず、図６を参照して、主電源スイッチ（不図示）がＯＮ又はコントローラ５２０からの電源ＯＮ要求を受け付けると、画像読取装置４００に各種電源が供給され、ステップＳ６０１で、光量調整初期化処理を行う。
【００３４】
次に、ステップＳ６０２で、電源ＯＦＦ状態への遷移イベントとなる、主電源スイッチＯＦＦ又はコントローラ５２０からの電源ＯＦＦ要求を受け付けたか否かを監視する。
【００３５】
そして、ステップＳ６０２で、電源ＯＦＦ状態への遷移イベントが発生しなければ、ステップＳ６０３に移行して、圧板読取処理を行い、電源ＯＦＦ状態への遷移イベントが発生した場合は、供給電源停止、電源ＯＦＦのための処理を行い、電源ＯＦＦ状態となる。
【００３６】
次に、図７を参照して、図６のステップＳ６０１の光量調整初期化処理について説明する。
【００３７】
まず、ステップＳ７０１では、原稿読み取り時に所望の光量を発光するため、ＣＰＵ５０１はレーザー制御部５０６を定電流駆動した時の原稿照射ユニット１０２の光量をＣＣＤ４０９で測定する。そして、該測定値を基に目標発光量に対応する電流値を求め、目標発光量に対応する電流値を確定して、ＲＡＭ５０３に記憶保存し、ステップＳ７０２に移行して、シェーディング補正を行う。
【００３８】
ステップＳ７０２では、まず、レーザー制御部５０６を、基準となる光量で定電流制御を行い、発光部ユニット１０１のレーザーを駆動し、原稿照射ユニット１０２を点灯する。次に、原稿照射ユニット１０２を、圧板４０２の内面の標準白色板（不図示）位置へ移動し、該標準白色板の濃度をＣＣＤ４０９で測定し、測定した濃度データ（シェーディングデータ）を記憶する。記憶されたシェーディングデータは、画像読み取り時に演算処理され、原稿走査時にＣＣＤ４０９で読み取った画像の画素毎のばらつきを補正して、画像濃度を均一とする。
【００３９】
次に、図８を参照して、図６のステップＳ６０３の圧板読取処理について説明する。
【００４０】
まず、ステップＳ８０１では、コントローラ５２０は、図示しない操作部より原稿読み取り指示のスタートボタンが押し下げられたか否かを繰り返し判定しつつ待機状態となっている。
【００４１】
ステップＳ８０１にて、原稿読み取りのスタートボタンが押下されると、コントローラ５２０から、画像読取装置４００へ原稿読み取り開始を指示するコマンドが送られ、原稿照射ユニット１０２を点灯する処理を実施すべく、ステップＳＳ８０２へと移行する。
【００４２】
ステップＳ８０２では、画像読み取りのための原稿照射の光量を決定し、原稿照射に必要なレーザー発光量の目標となる電流値を決定する。次に、決定された電流値に従い、レーザー制御回路５０６を定電流制御し、導光体８を点灯して原稿Ｇにレーザ光を照射する。
【００４３】
次に、ステップＳ８０３では、第１キャリッジ４０４を図示しない原稿セット基準から副走査方向に移動させ、原稿台ガラス４０１上に載置された原稿Ｇの画像情報を読み取る。画像情報の読み取りでは、ステップＳ８０２で原稿Ｇに照射されたレーザ光の反射光は、ミラー４０３，４０５，４０６及びレンズ４０８を介して、ＣＣＤ４０９に入力される。そして、ＣＣＤ４０９に入力された反射光は、光電変換等の電気処理が行われ、デジタル信号として処理される。
【００４４】
次に、画像処理部５０８に送られた画像信号は、ステップＳ７０２で記憶されたシェーディングデータを基に補正され、外部ＩＦ５０９を経由し、コントローラ５２０に送られる。
【００４５】
ステップＳ８０３での原稿読み取り終了後、ステップＳ８０４で、レーザー制御回路５０６に対する定電流制御を終了し、レーザー発光を停止させる。
【００４６】
次に、図９〜図１６を参照して、本発明の実施の形態の一例である画像読取装置による原稿サイズ検出動作について説明する。
【００４７】
図９は原稿サイズ検出サイクルの１サイクル分のタイムチャート図、図１０は原稿サイズ検出サイクルの複数サイクル分のタイムチャート図である。図１１はＡＢ系の原稿サイズの検出例を説明するための説明図、図１２はインチ系の原稿サイズの検出例を説明するための説明図である。図１３は原稿サイズの検出例をイメージした斜視図、図１４は主走査検出位置とＣＣＤの読み取り位置との関係を説明するための説明図、図１５はＡＢ系の原稿サイズの検出例を説明するための説明図、図１６は原稿サイズの検出例を説明するための図である。
【００４８】
本発明の実施の形態の一例である画像読取装置による原稿サイズ検出動作は、「原稿サイズ検出サイクル」と、その原稿サイズ検出サイクルを実際に原稿を検出することに用いるための「原稿サイズ検出アルゴリズム」とに大別される。
【００４９】
「原稿サイズ検出サイクル」とは、図９（ａ）に示すように、ごく短い時間（１００μｍ程度）に原稿台ガラス４０１に載置された原稿Ｇに原稿照射ユニット１０２の導光体８からレーザ光を照射し、その反射光をＣＣＤ４０９によって読み取る動作である。
【００５０】
一方、「原稿サイズ検出アルゴリズム」とは、「原稿サイズ検出サイクル」で得られた値を基に、実際に原稿Ｇのサイズを検出するアルゴリズムである。
【００５１】
まず、「原稿サイズ検出サイクル」について詳述する。
【００５２】
図９（ａ）は原稿サイズ検出サイクルの１サイクル分のタイムチャートであり、ＣＰＵ５０１が、所定のタイミングでレーザー制御部５０６に対する駆動電流をオンにすると、レーザーモジュール１は光ファイバーコード３を介して蛍光発光部５にレーザーを当て、導光体８の発光量が立ち上がる。十分に導光８の発光量が立ち上がる時間（１０μｓ）経過後、ＣＣＤ４０９によって反射光を読み取り、その後に駆動電流を落とす。
【００５３】
ここで、図９（ｂ）はダミーサイクルであり、このサイクルは、図９（ａ）のサイクルと同じ導光体８の点灯時間を持つが、ＣＣＤ４０９による読取は行わない。
【００５４】
図１０に、導光体８の点灯動作と、ＣＣＤ４０９による読取動作との関係を示す。
【００５５】
図１０から判るように、導光体８の点灯動作は１ｍｓ間隔で１００μｍを複数回行うが、実際にＣＣＤ４０９で原稿Ｇの反射光を読み取るのは複数開の点灯動作のうちの一部であり、その他は単に導光体８を点灯させているだけのダミーサイクルである。
【００５６】
ＣＣＤ４０９で原稿Ｇの反射光を読み取るときだけに導光体８を点灯させたのでは、使用者に対してちらつく印象を与えるのに対し、このように、導光体８が連続して点滅を続けていれば、残像効果によって連続して暗く光っている印象をもたせることができる。
【００５７】
この導光体８の点灯サイクルを上述した圧板４０２を閉じるときに開始し、原稿読取が必要なタイミングでＣＣＤ４０９による読み取りサイクルを挿入することにより、原稿サイズの検出を可能にする。
【００５８】
次に、「原稿サイズ検出アルゴリズム」について詳述する。
【００５９】
「原稿サイズ検出アルゴリズム」は、主走査原稿幅をＣＣＤ４０９の読み取り値で検出し、副走査原稿幅を反射型の副走査センサ６１４，６１５（ＡＢ系原稿の場合は副走査センサ６１４のみ）で検出する。
【００６０】
図１１は、ＡＢ系の原稿を画像読取装置４００の原稿台ガラス４０１上にセットした場合のレイアウトを示している。
【００６１】
第１キャリッジ４０４は、原稿主走査幅を読み取るときには画先よりも原稿内側に移動していなければならないので、１０〜２０ｍｍ程度原稿Ｇの内側を読む原稿サイズ検出位置２２０８に配置されている。この位置で、原稿主走査幅を読み取るためには、図１１の原稿左隅部に設けられた複数の原稿主走査幅検出ポイント２２０２〜２２０６の読み取り値を基に副走査センサ６１４の検出結果と合わせて原稿サイズを検出する。副走査センサ６１４は、領域２２０９内に配置可能とされている。
【００６２】
ここで、例えば、原稿主走査幅検出ポイント２２０２〜２２０４で原稿が検出され、副走査センサ６１４でも原稿が検出されれば、原稿サイズはＡ４Ｒとして検出される。
【００６３】
図１２は、インチ系の原稿を画像読取装置４００の原稿台ガラス４０１上にセットした場合のレイアウトを示している。
【００６４】
インチ系の原稿では、３種類の原稿主走査幅検出ポイント２３０２〜２３０４の読み取り値を基に、副走査センサ６１４，６１５の検出結果と合わせて原稿サイズを検出する。因みに、副走査センサ６１４は領域２３０７に配置可能とされ、副走査センサ６１５は領域２３０８内に配置可能とされている。
【００６５】
図１３は、ＣＣＤ４０９を用いて原稿サイズを検出している様子をイメージとして図示したものである。この例では、原稿Ｇの主走査幅以外の領域２４０２は、原稿照射ユニット１０２の導光体８の光が漏れ、オペレータの目に直接光が入り得ることを示している。
【００６６】
次に、図１４は、主走査幅のＣＣＤ４０９での読み取りに関するイメージを示したものである。図１４では、原稿主走査幅検出ポイント２５０３の位置をずらしてあるが、検出ときには反射光が光学レンズ４０８を介してＣＣＤ４０９に結像される。ＣＣＤ４０９の画素列２５０６において、原稿幅の開始ポイント２５０７の位置を基準に実際の原稿幅と主走査解像度とから導かれる画素数分離れた位置２５０８での画素からｎ画素分の平均値を持って検出ポイントの読み取り値に当てられる。
【００６７】
ここで、もしＢ５サイズ原稿がセットされていたとすれば、Ｂ５サイズの長手方向は２５７ｍｍである。長手方向の端部の内側３ｍｍ程の位置を検出ポイントとすれば、（２５４×１ｅ−３）÷（２５．４×１ｅ−３÷６００ｄｐｉ）＝２５４×１ｅ−３÷（４２．３×１ｅ−６）＝６００４画素近傍の画素に相当する。この画素から例えば６４画素（約２．７ｍｍ）程度の幅で平均値を求めることで原稿主走査幅を検出できることになる。即ち、この各々の検出ポイントが瞬時点灯時に原稿レベルを検出できればよいことになる。
【００６８】
図１５に、ＡＢ系の原稿サイズ検出における検出結果を示す。
【００６９】
図１５において、Ｎｏ．０は原稿突き当て位置で、原稿の有無を検出するポイントであり、主走査幅方向でＮｏ．０からＮｏ．１〜Ｎｏ．８の検出ポイントまでのどこまで原稿があるか否かを検出する。Ｎｏ．０も含めてすべて検出しない場合には原稿なしとする。図１５から明らかなように、ＡＢ系ではＮｏ．２，Ｎｏ．３，Ｎｏ．４，Ｎｏ．６，Ｎｏ．８のみを原稿サイズの検出に用いる。
【００７０】
図１６に、ＡＢ系の原稿サイズ検出の具体例を示す。
【００７１】
図１６（ａ）において、圧板４０２が閉じられると圧板検知レバー１０６によって圧板検知センサ６１３が切られ、主走査検出ポイント８０１と副走査センサ６１４とが検出動作を開始する。この検出動作は開始から約２００ｍｓ間隔で所定時間繰り返される。
【００７２】
図１６（ｂ）は、原稿Ｇが白、図１６（ｃ）は原稿Ｇが黒のときの検出結果である。圧板４０２が閉じかけた際と完全に閉じた際には、この図１６（ｂ）と図１６（ｃ）とでは、原稿の濃さにより結果が異なるが、「原稿以外の部分のみ検出結果が変わる」ことを利用することによりサイズ検知を行うことが可能である。
【００７３】
つまり、図１６（ｂ）および図１６（ｃ）において、副走査センサ６１４、Ｎｏ．７、Ｎｏ．８の結果は圧板４０２の閉じかけ時と完全閉じ時とで結果が異なり、その部分には原稿がないと判断できる。他の部分は原稿があるために結果が閉じかけ時と完全閉じ時で同じであることが分かる。これは、原稿がある場合には、圧板４０２の閉じかけだろうが完全に閉じていようが原稿の反射光を検出することになる。一方、原稿がない場合は、圧板４０２の閉じかけ時には反射光は返ってこないが、完全に閉じた時には圧板４０２内面の標準白色板８０４での反射光を検出するからである。ちなみにこの例ではどちらも検出結果はＢ５サイズとなる。
【００７４】
以上説明したように、この実施の形態では、原稿サイズの検出時に、原稿照射ユニット１０２の導光体８を連続して点滅させて、残像効果によって連続して暗く光っている印象をもたせている。これにより、原稿照射ユニット１０２の発光量が一定のままでごく短時間に点滅する残像効果によって、人の目にまぶしさを感じさせないようにしながら原稿のサイズを検出することができる。この結果、原稿照射ユニット１０２の光量の調整を煩雑にすることなく、また、構造を複雑にすることなく、原稿サイズを正確に検出することができる。
【００７５】
なお、本発明は上記実施の形態に例示したものに限定されるものではなく、本発明の要旨を逸脱しない範囲において適宜変更可能である。
【００７６】
図１７は、光学系ユニットの変形例を示したものである。この光学系ユニット１５００は、発光部ユニット１５２０と、原稿照射ユニット１５３０とによって構成されている。
【００７７】
発光部ユニット１５２０は、金属製ホルダ１５０２に保持されて、原稿照射ユニット１５３０の複数の発光部１５０４の光源となるレーザーモジュール１５０１と、レーザーモジュール１５０１より出力されるレーザー光を発光部１５０４へ導く光ファイバーコード１５０３とを備える。
【００７８】
原稿照射ユニット１５３０は、複数の発光部１５０４と、導光体１５０６と、原稿の反射光１５０５が導かれる反射光路１５０７とを備える。なお、制御については、複数の発光部１５０４の点灯を制御する以外は、上記実施の形態と同様である。
【図面の簡単な説明】
【００７９】
【図１】本発明の実施の形態の一例である画像読取装置の外観斜視図である。
【図２】本発明の実施の形態の一例である画像読取装置の内部構造を説明するための説明図である。
【図３】光学ユニットを説明するための説明図である。
【図４】原稿照射ユニットを説明するための説明図である。
【図５】本発明の実施の形態の一例である画像読取装置の制御ブロック図である。
【図６】画像読取処理のメインルーチンを説明するためのフローチャート図である。
【図７】図６の光量調整初期化処理を説明するためのフローチャート図である。
【図８】図６の圧板読取処理を説明するためのフローチャート図である。
【図９】原稿サイズ検出サイクルの１サイクル分のタイムチャート図である。
【図１０】原稿サイズ検出サイクルの複数サイクル分のタイムチャート図である。
【図１１】ＡＢ系の原稿サイズの検出例を説明するための説明図である。
【図１２】インチ系の原稿サイズの検出例を説明するための説明図である。
【図１３】原稿サイズの検出例をイメージした斜視図である。
【図１４】主走査検出位置とＣＣＤの読み取り位置との関係を説明するための説明図である。
【図１５】ＡＢ系の原稿サイズの検出例を説明するための説明図である。
【図１６】原稿サイズの検出例を説明するための図である。
【図１７】本発明の他の実施の形態である画像読取装置を説明するための説明図である。
【符号の説明】
【００８０】
１        レーザーモジュール（コヒーレント光発光手段）
３        光ファイバーコード（導光手段）
５        蛍光体発光部（蛍光手段）
Ｇ        原稿
１０２    原稿照射ユニット（原稿照射手段）
４００    画像読取装置
４００ａ  原稿台
４０２    圧板
４０９    ＣＣＤ（原稿読取手段）
【図１】
2008048024.tif 000003
【図２】
2008048024.tif 000004
【図３】
2008048024.tif 000005
【図４】
2008048024.tif 000006
【図５】
2008048024.tif 000007
【図６】
2008048024.tif 000008
【図７】
2008048024.tif 000009
【図８】
2008048024.tif 000010
【図９】
2008048024.tif 000011
【図１０】
2008048024.tif 000012
【図１１】
2008048024.tif 000013
【図１２】
2008048024.tif 000014
【図１３】
2008048024.tif 000015
【図１４】
2008048024.tif 000016
【図１５】
2008048024.tif 000017
【図１６】
2008048024.tif 000018
【図１７】
2008048024.tif 000019